【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
構造物の設計データおよび前記構造物の状況データに基づいて、前記構造物の劣化の推定を実施することと、
前記推定に基づいて、前記構造物に対して第１点検を実施する第１点検計画を作成することと、
前記第１点検計画に従って実施された前記第１点検の結果、及び予め定められた点検基準に基づいて、前記第１点検とは異なる第２点検を実施する第２点検計画を作成することと、を含む点検支援方法。
【請求項２】
前記状況データは、前記構造物の劣化の測定データ、前記構造物の設置環境データ、及び前記構造物の交通量データの少なくとも一つを含む、請求項１に記載の点検支援方法。
【請求項３】
前記設置環境データは、前記構造物が設置される環境の温度、風力、振動、地震、気圧、湿度、及び塩分濃度の少なくとも一つに関するデータを含む、請求項２に記載の点検支援方法。
【請求項４】
前記推定は、前記構造物における劣化の起点の位置の推定と、前記構造物における劣化の進行度の推定との少なくとも一方を含む、請求項１から請求項３のいずれか一項に記載の点検支援方法。
【請求項５】
前記第１点検は、前記構造物のひび割れの長さ、前記構造物のひび割れの幅、前記構造物のひび割れの密度、前記構造物の内部の剥離、及び前記構造物の内部の空洞の少なくとも１項目の点検を実施することを含む、請求項１から請求項４のいずれか一項に記載の点検支援方法。
【請求項６】
前記第１点検は、前記構造物に働く応力、前記構造物の振動、前記構造物の場所における湿度及び塩分濃度の少なくとも１項目の状況をモニタリングすることを含む、請求項１から請求項５のいずれか一項に記載の点検支援方法。
【請求項７】
前記第１点検の結果に基づいて、次回の前記推定を実施することを含む、請求項１から請求項６のいずれか一項に記載の点検支援方法。
【請求項８】
前記第１点検計画は、前記構造物において点検とモニタリングとの少なくとも一方を実施する箇所、該点検又は該モニタリングの方法、該点検又は該モニタリングの時期、及び該点検又は該モニタリングの時間の少なくとも１つを含む、請求項１から請求項７のいずれか一項に記載の点検支援方法。
【請求項９】
前記第２点検の結果に基づいて、前記構造物の補修の要否を判定することを含む、請求項１から請求項８のいずれか一項に記載の点検支援方法。
【請求項１０】
前記補修の結果に基づいて、次回の前記推定を行うことを含む、請求項９に記載の点検支援方法。
【請求項１１】
前記第２点検の結果に基づいて、次回の前記構造物の劣化の推定を行うことを含む、請求項１から請求項１０のいずれか一項に記載の点検支援方法。
【請求項１２】
構造物の設計データおよび前記構造物の状況データに基づいて、前記構造物の劣化の推定を実施する劣化推定部と、
前記劣化推定部の推定結果に基づいて、前記構造物に対して第１点検を実施する第１点検計画を作成する第１点検計画作成部と、
前記第１点検の結果、及び予め定められた点検基準に基づいて、前記第１点検とは異なる第２点検を実施する第２点検計画を作成する第２点検計画作成部と、を備える点検支援システム。
【請求項１３】
前記劣化推定部は、前記第１点検の結果、又は前記第２点検の結果を用いて、次回の前記劣化の推定を実施する、請求項１２に記載の点検支援システム。
【請求項１４】
前記第２点検の結果に基づいて、前記構造物の補修の要否を判定する補修要否判定部を備える、請求項１２又は請求項１３に記載の点検支援システム。
【請求項１５】
前記劣化推定部は、前記構造物の補修の結果を用いて次回の前記構造物の劣化の推定を行う、請求項１４に記載の点検支援システム。
【請求項１６】
前記劣化推定部は、前記設計データ及び前記状況データを用いた数値解析によって前記構造物の劣化の推定をする、請求項１２から請求項１５のいずれか一項に記載の点検支援システム。
【請求項１７】
前記劣化推定部は、点検対象の前記構造物に類似する他の構造物を点検した時に取得される劣化のレベルを用いて前記点検対象の構造物の劣化を推定する、請求項１２から請求項１６のいずれか一項に記載の点検支援システム。
【請求項１８】
前記第１点検計画作成部は、前記劣化推定部が推定した劣化と前記点検基準に定められる閾値とを比較して、前記第１点検を実施させる点検の実施時期を含む前記第１点検計画を作成する、請求項１２から請求項１７のいずれか一項に記載の点検支援システム。
【請求項１９】
前記第２点検計画作成部は、前記第２点検計画において、次回の前記第２点検を実施する時期を、前回の前記第２点検を実施してから所定の期間以内に設定し、
前記所定の期間は点検要領に定められた期間である、請求項１２から請求項１８のいずれか一項に記載の点検支援システム。
【請求項２０】
構造物の設計データおよび前記構造物の状況データに基づいて、前記構造物の劣化の推定を実施する劣化推定部と、
前記劣化推定部の推定結果に基づいて、前記構造物に対して第１点検を実施する第１点検計画を作成する第１点検計画作成部と、
前記第１点検の結果に基づいて、前記第１点検とは異なる第２点検を実施する第２点検計画を作成する第２点検計画作成部と、を備え、
前記第１点検の結果又は前記第２点検の結果を用いて、前記劣化推定部の推定に用いられるアルゴリズム又はパラメータを調整する、点検支援システム。
【請求項２１】
前記第１点検計画作成部は、前記第１点検として前記構造物を撮像した撮像画像を画像解析する点検を実施させる前記第１点検計画を作成する、請求項１２から請求項２０のいずれか一項に記載の点検支援システム。
【請求項２２】
前記第１点検計画作成部は、前記構造物の内部の劣化を推定するために赤外線カメラによる点検を含む前記第１点検計画を作成する、請求項１２から請求項２１のいずれか一項に記載の点検支援システム。
【請求項２３】
前記第１点検計画作成部は、前記劣化推定部の推定を用いて前記構造物において点検の対象となる箇所を決定する、請求項１２から請求項２２のいずれか一項に記載の点検支援システム。
【請求項２４】
構造物の点検支援をコンピュータに実行させるプログラムであって、
構造物の設計データおよび前記構造物の状況データに基づいて、前記構造物の劣化の推定を実施することと、
前記推定に基づいて、前記構造物に対して第１点検を実施する第１点検計画を作成することと、
前記第１点検計画に従って実施された前記第１点検の結果、及び予め定められた点検基準に基づいて、前記第１点検とは異なる第２点検を実施する第２点検計画を作成することと、をコンピュータに実行させるプログラム。
【手続補正２】
【補正対象書類名】明細書
【補正対象項目名】発明の名称
【補正方法】変更
【補正の内容】
【発明の名称】点検支援方法、点検支援システム、及びプログラム
【手続補正３】
【補正対象書類名】明細書
【補正対象項目名】０００６
【補正方法】変更
【補正の内容】
【０００６】
本発明の第２の態様に従えば、構造物の設計データおよび構造物の状況データに基づいて、構造物の劣化の推定を実施する劣化推定部と、劣化推定部の推定結果に基づいて、構造物に対して第１点検を実施する第１点検計画を作成する第１点検計画作成部と、第１点検の結果、及び予め定められた点検基準に基づいて、第１点検とは異なる第２点検を実施する第２点検計画を作成する第２点検計画作成部と、を備える点検支援システムが提供される。
本発明の第３の態様に従えば、構造物の点検支援をコンピュータに実行させるプログラムであって、構造物の設計データおよび構造物の状況データに基づいて、構造物の劣化の推定を実施することと、推定に基づいて、構造物に対して第１点検を実施する第１点検計画を作成することと、第１点検計画に従って実施された第１点検の結果、及び予め定められた点検基準に基づいて、第１点検とは異なる第２点検を実施する第２点検計画を作成することと、をコンピュータに実行させるプログラムが提供される。